(57)【要約】【課題】光源から照射される照明光を受光して蓄光し、光源からの照明光が消滅すると蓄光材から放射する照明光の位置を最適とする蓄光型照明装置を提供する。【解決手段】光源５から照射される照明光を受光して蓄光し光源５からの照明光が消滅すると蓄光した照明光を放射する蓄光型照明装置１００において、光源５から照射される光線を受光して蓄光する蓄光部１と、蓄光部１の蓄光面を光源５から照明光が照射されている間は光源５方向に向け、蓄光部１の蓄光面を光源５から照明光が照射されていない間は光源方向とは異なる方向に向ける、蓄光部１の蓄光面の方向を変換する方向変換部１６と、から構成されるものである。【選択図】      図１
2006244797.tif 000002
【特許請求の範囲】
【請求項１】
道路、住宅、劇場ホール等の照明を必要とする照明光照射範囲部分に照明光を照射する光源部と、前記光源部から照射される照明光を受光して蓄光し前記光源部からの前記照明光が消滅すると前記蓄光した照明光を前記照明光照射範囲部分に放射する蓄光部と、前記蓄光部を保持し方向変換を行う方向変換部と、からなる蓄光型照明装置において、
前記方向変換部は、
前記蓄光部を前記光源部から前記照明光が照射されている間は前記照明光を受光できる所定角度となるよう前記蓄光部を前記光源部方向に向け、
前記蓄光部を前記光源から前記照明光が照射されていない間は前記光源方向の前記所定角度とは異なる前記照明光照射範囲部分に照明できる他の所定角度の方向に向ける、ことを特徴とする蓄光型照明装置。
【請求項２】
道路、住宅、劇場ホール等の照明を必要とする照明光照射範囲部分に照明光を照射する光源部と、
前記光源部から照射される照明光を受光して蓄光し前記光源部からの前記照明光が消滅すると前記蓄光した照明光を前記照明光照射範囲部分に放射する表面に蓄光塗料、蓄光紙等の蓄光部材を設置した円柱状の蓄光部と、前記蓄光部を回転させる回転部と、からなる蓄光型照明装置において、
前記回転部は、前記光源部から前記照明光が照射されている間は前記蓄光部全体に照明光を受光するよう回転することを特徴とする蓄光型照明装置。
【請求項３】
請求項２に記載されている蓄光型照明装置において、
前記回転部の駆動源として、
前記光源からの前記照明光を受けて電力を出力する太陽電池と、
前記太陽電池から供給される電力により回転するモータと、
を具備することを特徴とする蓄光型照明装置。
【請求項４】
請求項２に記載されている蓄光型照明装置において、
前記回転部の駆動源として、風もしくは水を受けて回転する風車もしくは水車を具備することを特徴とする蓄光型照明装置。
【発明の詳細な説明】
【技術分野】
【０００１】
本発明は、光源から照射される照明光を受光して蓄光し、光源からの照明光が消滅すると蓄光した照明光を放射する、蓄光型照明装置に関する。
【背景技術】
【０００２】
図４に示すように、従来の蓄光型照明装置２００は、道路、住宅、劇場ホール等の照明を必要とする照明光照射範囲部分に照明光を照射する光源部５と、光源部５から照射される照明光を受光して蓄光し光源部５からの照明光が消滅すると蓄光した照明光を照明光照射範囲部分に放射する蓄光部１５と、光源部５と蓄光部１５とを保持する保持板１７と、から蓄光型照明装置２００を構成している。
【０００３】
そして、図４（Ａ）に示すように、光源５からの大部分の照明光１３ａを道路、住宅、劇場ホール等の照明を必要とする照明光照射範囲部分に照射し、光源５からの照明光の一部である照明光１３ｂで蓄光部１５を照射する。
【０００４】
次に、図４（Ｂ）に示すように、光源５からの照明光１３ａ，１３ｂが消滅したときに蓄光した照明光１４を照明光照射範囲部分に放射していた。
【０００５】
図５に他の従来の蓄光型照明装置２０１の概要図を示す。
図５に示すように、従来の蓄光型照明装置２０１は、照明光を放射する光源５と、光源５を取り付ける保持具６と、照明光を蓄光し照明光が停止したら蓄光した照明光を放射する蓄光材を塗布した蓄光部９と、から構成される。
そして、蓄光部９により光源５を被覆し、光源５から照射される照明光は蓄光部９を経由して照明すべき道路、住宅、劇場ホール等の照明を必要とする照明光照射範囲部分を照射するとともに、 光源５から照射された照明光の一部を蓄光部９で受光して蓄光し、光源からの照明光が消滅すると蓄光した照明光を蓄光部９から放射し、照明すべき道路、住宅、劇場ホール等の照明を必要とする照明光照射範囲部分を継続して照射する蓄光型照明装置２０１として用いていた。
特許文献１には、キセノンランプを光源とする閃光ランプにおいて、その光源の長手方向に沿って蓄光材を一部又は全周に亘って被覆した外筒を設け、その外筒は光源に対し回転又は移動することが可能であり、その蓄光材付き外筒から放射する照明光を利用することによって、キセノンランプの閃光点滅から連続点灯に切り替える蓄光型照明装置２０１が記載されている。
【０００６】
【特許文献１】特開２００４−３１９２３７号公報
【発明の開示】
【発明が解決しようとする課題】
【０００７】
しかしながら、図４（Ａ）に示す蓄光型照明装置２００では、蓄光部１５が光源５に対して直角方向に対向しておらず斜め方向であるため、照明光１３ｂの光量が減少し蓄光部１５で受光して蓄光するのに十分な光量が得られず、かつ、図４（Ｂ）に示すように照明すべき道路、住宅、劇場ホール等の照明を必要とする照明光照射範囲部分を照明する照明光１４も斜め方向の拡散光であるため照明量が減少してしまうと言う問題点があった。
また、図５に示すように光源５の長手方向に沿って蓄光材を一部又は全周に亘って被覆した外筒（蓄光部９）を設けると、光源５による照明光が蓄光材によって遮られ光源５から放射される光量が照明光として利用する際に減少してしまうという問題点があった。
【０００８】
そこで、本発明は、上記のような問題点を解消するためになされたもので、光源から照射される照明光を受光して蓄光し、光源からの照明光が停止されると蓄光材から放射する照明光の照明方向を最適とする蓄光型照明装置を提供することを目的とする。
【課題を解決するための手段】
【０００９】
本願発明における第1の発明は、道路、住宅、劇場ホール等の照明を必要とする照明光照射範囲部分に照明光を照射する光源部と、前記光源部から照射される照明光を受光して蓄光し前記光源部からの前記照明光が消滅すると前記蓄光した照明光を前記照明光照射範囲部分に放射する蓄光部と、前記蓄光部を保持し方向変換を行う方向変換部と、からなる蓄光型照明装置において、前記方向変換部は、前記蓄光部を前記光源部から前記照明光が照射されている間は前記照明光を受光できる所定角度となるよう前記蓄光部を前記光源部方向に向け、前記蓄光部を前記光源から前記照明光が照射されていない間は前記光源方向の前記所定角度とは異なる前記照明光照射範囲部分に照明できる他の所定角度の方向に向ける、ことを特徴とする蓄光型照明装置を提供するものである。
本願発明における第２の発明は、道路、住宅、劇場ホール等の照明を必要とする照明光照射範囲部分に照明光を照射する光源部と、前記光源部から照射される照明光を受光して蓄光し前記光源部からの前記照明光が消滅すると前記蓄光した照明光を前記照明光照射範囲部分に放射する表面に蓄光塗料、蓄光紙等の蓄光部材を設置した円柱状の蓄光部と、前記蓄光部を回転させる回転部と、からなる蓄光型照明装置において、前記回転部は、前記光源部から前記照明光が照射されている間は前記蓄光部全体に照明光を受光するよう回転することを特徴とする蓄光型照明装置を提供するものである。
本願発明における第３の発明は、第２の発明に記載されている蓄光型照明装置において、前記回転部の駆動源として、前記光源からの前記照明光を受けて電力を出力する太陽電池と、前記太陽電池から供給される電力により回転するモータと、を具備することを特徴とする蓄光型照明装置を提供するものである。
本願発明における第４の発明は、第２の発明に記載されている蓄光型照明装置において、前記回転部の駆動源として、風もしくは水を受けて回転する風車もしくは水車を具備することを特徴とする蓄光型照明装置を提供するものである。
【発明の効果】
【００１０】
本発明によれば、道路、住宅、劇場ホール等の照明を必要とする照明光照射範囲部分に照明光を照射する光源部と、光源部から照射される照明光を受光して蓄光し光源部からの照明光が消滅すると蓄光した照明光を照明光照射範囲部分に放射する蓄光部と、蓄光部を保持し方向変換を行う方向変換部と、からなる蓄光型照明装置において、方向変換部は、蓄光部を光源部から照明光が照射されている間は照明光を受光できる所定角度となるよう蓄光部を光源部方向に向け、蓄光部を光源から照明光が照射されていない間は光源方向の所定角度とは異なる照明光照射範囲部分に照明できる他の所定角度の方向に向ける、ことにより光源からの照明光を最適な受光方向から蓄光部で受光して蓄光し、かつ、光源からの照明光が停止すると蓄光部から放射する照明光が照明光照射範囲部分へ照射する照明方向を最適とすることができる。
【発明を実施するための最良の形態】
【００１１】
以下に本発明の実施形態に係る蓄光型照明装置について図１〜図３を用いて説明する。
【００１２】
図１は、本発明の実施形態における蓄光型照明装置１００の使用状態を説明するための図であり、（Ａ）は光源からの照明光を蓄光すると同時に、照明に用いている状態を示す図であり、（Ｂ）は蓄光を照明に用いている状態を示す図である。
図２は、本発明の他の実施形態を示すものであり、光源からの照明光を回転しながら受光し照明する蓄光型照明装置を示す図であり、（Ａ）は光源からの照明光をモータ駆動により回転しながら受光する蓄光型照明装置を示す図であり、（Ｂ）は光源からの照明光を風車もしくは水車により回転しながら受光する蓄光型照明装置を示す図である。
図３は、本発明の他の実施形態の変形における蓄光型照明装置の使用状態を示す図であり、（Ａ）は光源を自然光とし、この自然光をモータ駆動により回転しながら受光する蓄光型照明装置を示す図であり、（Ｂ）は光源を自然光とし、この自然光を風車もしくは水車により回転しながら受光する蓄光型照明装置を示す図である。
【実施例】
【００１３】
図１に示すように、本発明の実施形態においては、光源５から照射される照明光を受光して蓄光し光源５からの照明光が消滅すると蓄光した照明光を放射する蓄光型照明装置１００においては、光源５と、光源５から照射される光線を受光して蓄光する蓄光部１と、蓄光部１と光源５等を保持する保持板１７と、蓄光部１の蓄光面を光源５から照明光が照射されている間は光源５方向に向け蓄光部１の蓄光面を光源５から照明光が照射されていない間は光源方向とは異なる方向に向ける蓄光部１の蓄光面の方向を変換する方向変換部１６と、蓄後部１と光源５と方向変換部１６とを保持する保持部１６と、から構成されるものである。
次に動作を説明する。
図１（Ａ）に示すように、本発明の実施形態の蓄光型照明装置１００においては、光源５から照明光が蓄光部１の方向１１ｂと照明光照射範囲部分の方向１１ａに向けて照射されている間は蓄後部１の蓄光面を光源５の方向へ向くよう方向変換部１６を制御し、次に図１（Ｂ）に示すように、光源５から照明光が照射されていない間は蓄後部１の蓄光面を照明光照射範囲部分の方向１２へ向くよう方向変換部１６を制御する。方向変換部１６は、バイメタル、形状記憶合金等のように光源５から照明光が照射されている間は加熱して図１（Ａ）の状態に、光源５から照明光が照射されていない間は加熱を停止して図１（Ｂ）の状態とする。
以上述べてきたように、本発明の実施形態によれば、照明光が照射されている間は蓄光部の蓄光面を光源方向に向けて、蓄光部の蓄光面に照明光を十分蓄光し、次に照明光が停止されると、蓄光部の蓄光面に蓄光された照明光が照明光照射範囲部分の方向に向けて放射されるため、照明の必要な照明光照射範囲部分に蓄光部の蓄光面に蓄光された照明光を十分放射できる。
【００１４】
図２は本発明の他の実施形態を示すものであり、 図２（Ａ）に示されているように、蓄光面を円柱状とした蓄光部１と、蓄光部１の円柱状の表面に形成された蓄光面を光源５から照明光が照射されている間は光源方向に向けて回転させる回転部２と、回転部２の駆動源として光源５からの照明光を受けて電力を出力する太陽電池３と、太陽電池３から供給される電力により回転するモータからなる回転部２と、から構成されるものである。
【００１５】
回転部２の駆動源の電力としては、光源５へ供給される図示していない照明光用の電源からの電力を用いてもよいのはもちろんである。
【００１６】
そして、図２（Ｂ）では、蓄光部１の蓄光面を光源５から照明光が照射されている間は光源５方向へ向けて回転させる回転部７の駆動源として、風もしくは水８を受けて回転する風車もしくは水車からなる回転部７と、を構成するものである。
次に動作を説明する。
図２（Ａ）および図２（Ｂ）に示すように、回転部２および回転部７により光源５からの照明光を回転しながら円柱状の蓄光面全体に照射して蓄光させ、光源５からの照明光が照射しなくなると、照明光照射範囲部分へ蓄光した照明光を放射する。
以上述べてきたように、蓄光面を円柱状として回転させているため、照明光照射範囲部分への方向を特に定める必要は無いという効果がある。 
次に、図３に示すように、光源を太陽光とした本発明の他の実施形態の変形について説明する。
図３（Ａ）に示されているように、本発明の他の実施形態の変形例の蓄光型照明装置においては、蓄光部１の蓄光面を太陽光１０から太陽光が照射されている間は太陽方向に向けて回転させる回転部２の駆動源として、太陽光１０からの太陽光を受けて電力を出力する太陽電池３と、太陽電池３から供給される電力により回転するモータからなる回転部２と、から構成されるものである。
【００１７】
そして、図３（Ｂ）に示されているように、本発明の他の実施形態の変形としての蓄光型照明装置においては、蓄光部１の蓄光面を太陽光１０から太陽光が照射されている間は太陽光１０方向に向けて回転させる回転部７の駆動源として、風もしくは水８を受けて回転する風車もしくは水車からなる回転部７と、を構成するものである。
次に動作を説明する。
図３（Ａ）および図３（Ｂ）に示すように、回転部２および回転部７により太陽光からの照明光を回転しながら円柱状の蓄光面全体に照射して蓄光させ、太陽光からの照明光が照射しなくなると、照明光照射範囲部分へ蓄光した照明光を放射する。
以上述べてきたように、本発明に係わる他の実施形態の変形によれば、昼間に太陽光が照射されている間は蓄光部を回転させながら太陽光方向に向けるため、蓄光部全体に太陽光が蓄光され、次に夜間となり照明光が停止されると、蓄光部から蓄光された太陽光が蓄光部全体から放射されるため、照明光照射範囲部分として例えば照明の必要な地上方向にも十分蓄光部から蓄光された太陽光を放射することができる。
【図面の簡単な説明】
【００１８】
【図１】本発明の実施形態における蓄光型照明装置１００の使用状態を説明するための図であり、（Ａ）は光源からの照明光を蓄光すると同時に、照明に用いている状態を示す図であり、（Ｂ）は蓄光を照明に用いている状態を示す図である。
【図２】本発明の他の実施形態を示すものであり、光源からの照明光を回転しながら受光し照明する蓄光型照明装置を示す図であり、（Ａ）は光源からの照明光をモータ駆動により回転しながら受光する蓄光型照明装置を示す図であり、（Ｂ）は光源からの照明光を風車もしくは水車により回転しながら受光する蓄光型照明装置を示す図である。
【図３】本発明の他の実施形態の変形における蓄光型照明装置の使用状態を示す図であり、（Ａ）は光源を自然光とし、この自然光をモータ駆動により回転しながら受光する蓄光型照明装置を示す図であり、（Ｂ）は光源を自然光とし、この自然光を風車もしくは水車により回転しながら受光する蓄光型照明装置を示す図である。
【図４】従来の蓄光型照明装置の概要を示す図である。
【図５】従来の円柱状蓄光型照明装置の概要を示す図である。
【符号の説明】
【００１９】
１蓄光部
２回転部（モータ）
３太陽電池
４保持具
５光源
６保持具
７回転部（水車もしくは風車）
８水もしくは風
９蓄光部
１０太陽光
１１ａ照明光照射範囲部分方向
１１ｂ蓄光部方向
１２照明光照射範囲部分方向
１３ａ照明光照射範囲部分方向
１３ｂ蓄光部方向
１４照明光照射範囲部分方向
１５蓄光部
１６方向変換部
１７保持部
１００蓄光型照明装置
【図１】
2006244797.tif 000003
【図２】
2006244797.tif 000004
【図３】
2006244797.tif 000005
【図４】
2006244797.tif 000006
【図５】
2006244797.tif 000007